(57)【要約】【課題】            アイアンのヘッド同士の衝突を防止してゴルフクラブの損傷を防ぎ、寿命を延長させ、騒音を防止し、ゴルフバッグの重心を底部に位置させて安定して取り扱うことができる、アイアンのヘッドを内部に収納するゴルフバッグを提供する。【解決手段】        上部基盤から下部基盤に至るゴルフバッグ本体の内部に複数の横隔壁と縦隔壁を交差させて内部を分割し、各々のアイアン収納部を形成し、アイアン収納部の前後には、ウッド収納部とパター収納部を別途に分割形成して多数の種類のゴルフクラブを各々隔離して収納できるようにし、かつ、アイアンのヘッドがゴルフバッグ本体の底部に位置する下部基盤の内部に収める。【選択図】          図１
2005312908.tif 000002
【特許請求の範囲】
【請求項１】
上部基盤（１）と下部基盤（２）が上下端に取り付けられた本体フレーム（３）の外面に複数の小物収納袋（４）（４’）がジッパー（５）によって開閉される外部カバー（６）と一体に装着されてなるゴルフバッグ本体（１００）と、上記ゴルフバッグ本体（１００）の上部に突出するゴルフクラブの高さに対応する大きさで上部基盤（１）にフックボタン（８）等で着脱自在に取り付けられるキャップ（２００）とからなるゴルフバッグにおいて、ゴルフバッグ本体（１００）の上部基盤（１）から下部基盤（２）に至る本体フレーム（３）の内部には、複数の横隔壁（９）（９’）とこれらの中間を横切る縦隔壁（１０）が交差するように設けられて、各ゴルフクラブが隔離収納される複数のアイアン収納部（１１）（１１’）（１１’’）が分割形成され、アイアン収納部（１１）（１１’）（１１’’）の前後には、ウッド収納部（１２）とパター収納部（１３）が別途に分割形成され、ゴルフクラブを各々隔離して収納できるようにし、かつ、アイアン（Ｉ）のヘッド（Ｈ）がゴルフバッグ本体（１００）の底部に位置する下部基盤（２）の内部に収められるように収納されることを特徴とする、アイアンヘッドを内部に収納するゴルフバッグ。
【請求項２】
アイアン収納部（１１）（１１’）（１１’’）は、アイアン（Ｉ）のロフトによるヘッド（Ｈ）の大きさ及び形態に対応するように、中央から外側になるほど広くなる大きさと形態でなることを特徴とする、請求項１に記載のアイアンヘッドを内部に収納するゴルフバッグ。
【請求項３】
ゴルフバッグ本体（１００）の下部基盤（２）に移動用の車輪（１４）が設けられことを特徴とする、請求項１に記載のアイアンヘッドを内部に収納するゴルフバッグ。
【請求項４】
ゴルフバッグ本体（１００）の上部基盤（１）と下部基盤（２）および、これを連結する本体フレーム（３）で構成され、連結して組み立てられたことを特徴とする、請求項１に記載のアイアンヘッドを内部に収納するゴルフバッグ。
【請求項５】
上部基盤（１）と下部基盤（２）に設けられた横隔壁（９）（９’）と縦隔壁（１０）に、アイアン（Ｉ）のヘッド（Ｈ）を保護できるように、クッション材と織物を被覆することを特徴とする、請求項１に記載のアイアンヘッドを内部に収納するゴルフバッグ。
【請求項６】
上部基盤（１）および下部基盤（２）と連結される本体フレーム（３）の内部に設けられる横隔壁（９）（９’）と縦隔壁（１０）は、織物又は軟質合成樹脂材で構成されることを特徴とする、請求項１に記載のアイアンヘッドを内部に収納するゴルフバッグ
【発明の詳細な説明】
【技術分野】
【０００１】
本発明は、アイアンのヘッドを内部に収納するゴルフバッグに関するもので、より詳細には、ウッド、アイアン、パター等、セットを成す種々のゴルフクラブを相互離隔して各々収納できるように構成し、かつ、アイアンのヘッドがゴルフクラブの内部に位置して収納されるようにすることによって、アイアン相互間の衝突による損傷を防止し、寿命を延ばし、ゴルフバッグの重心を底部に位置させ、安定感を附与することによって、転倒を防ぎ、携帯や移動も容易にした、アイアンヘッドを内部に収納するゴルフバッグに関するものである。
【背景技術】
【０００２】
一般に、ゴルフクラブセット用のゴルフバッグは、普通３本のウッド、９〜１０本のアイアン、１本のパターを入れるように構成され、ゴルフクラブの長さより短い長さのゴルフバッグ本体の内部に、クラブのヘッドが突出するように収納されて使用され、本体の上部に着脱可能に付着されるキャップによって、ゴルフクラブの離脱とゴルフクラブのヘッドの損傷が防止されると同時に、保管及び携帯が容易なように使用される。
【０００３】
このようなゴルフバッグの一般的な構造をより具体的に説明すると、ゴルフバッグ本体は、上部基盤と下部基盤がその上下端に固定されたゴルフバッグフレームの外面に、複数の小物収納袋がジッパーで開閉される外部カバーと一体に装着されてできており、前記キャップはゴルフバッグ本体から突出するゴルフクラブのヘッドの高さに対応する大きさで、上部基盤にホックボタン等で着脱自在に付着される。
【０００４】
又、ゴルフバグ本体の上部基盤は、大体、２本の横バーによって３つのスペースに分割され、後方のスペースから順に、ウッドやアイアン等をヘッドが上部に露出するように収納し、上部基盤の下部の本体フレーム内部は、区切られていない１つの筒体に形成されている。
【発明の開示】
【発明が解決しようとする課題】
【０００５】
しかし、このような従来のゴルフバッグの構造は、３つのスペースに分割されている上部基盤を通じてゴルフクラブを収納する際、ゴルフクラブのグリップを挿し込んで、ヘッドが上部基盤の上部に露出するように収納されるため、上部基盤の狭いスペースに１３〜１４本のゴルフクラブのヘッドが密集することになり、移動の時や携帯の際に、ヘッド同士が衝突し、その過程で傷が生じるだけでなく、ヘッドが他の長いクラブのシャフトを損傷させるため、クラブの商品価値と寿命を低下させ、ぶつかる時の音を発生し、また、本体フレームの内部が中空状になっているため、シャフトおよびヘッドが片方に傾いてクラブの収納や取り出しを困難にする問題点があった。
【０００６】
また、ゴルフクラブが、金属重量体であるヘッドがゴルフバッグ本体の上部に露出するように収納されているため、重心が上部へ偏って安定感が無いので、立てて置いた状態で強い風や外部からの小さな衝撃により簡単に転倒し、このことによってクラブを損傷するケースもあるばかりでなく、移動や携帯の際に取っ手を持ってゴルフバッグを持ち上げると、上部に位置する重心により、上部が前方に偏って携帯しにくい等の種々の問題点があった。
【０００７】
又、最近は、ゴルフクラブが片方に偏るのを防ぐために、本体の内部の上部基盤に各アイアンを入れるアイアン収納孔を形成したゴルフバッグがあるが、これは、アイアンのヘッドが各収納孔に位置し、片方へ傾くのを防止する効果はあるが、このゴルフバッグも内部は区切られていない中空であって、全体のシャフトが交じり合って絡み合うため、クラブの収納や取り出しが困難であるばかりでなく、このゴルフバッグもまた、クラブヘッドが上部に露出された状態で収納されるために、クラブヘッド間の衝突と摩擦は避けられず、上記問題点は解決できなかった。
【０００８】
本発明の目的は、上記問題点を解消することにあり、上部基盤から下部基盤に至るゴルフバッグ本体の内部に複数の横隔壁と縦隔壁を交差させて内部を分割し、各々のアイアン収納部を形成し、アイアン収納部の前後には、ウッド収納部とパター収納部を別途に分割形成して多数の種類のゴルフクラブを各々隔離して収納できるようにし、かつ、アイアンのヘッドがゴルフバッグ本体の底部に位置する下部基盤の内部に収めることによって、アイアンのヘッド同士の衝突を防止してゴルフクラブの損傷を防ぎ寿命を延長させ、騒音を防止し、ゴルフバッグの重心を底部に位置させて安定して取り扱うことができる、アイアンのヘッドを内部に収納するゴルフバッグを提供することにある。
【課題を解決するための手段】
【０００９】
本発明によるゴルフバッグは、上部基盤と下部基盤がその上下端に設置されている本体フレームの外面に複数の小物収納袋がジッパーによって開閉される外部カバーと一体に装着されてなるゴルフバッグ本体と、上記ゴルフバッグ本体の上部に突出するクラブの高さに対応する大きさで上部基盤にフックボタン等で着脱自在に取り付けられるキャップからなり、外観上は一般的なゴルフバッグの構造を有する。
【００１０】
ここで、本発明の特徴的構造は、上記上部基盤から下部基盤に至るゴルフバッグ本体の内部に複数の横隔壁と縦隔壁を交差させて内部を分割し、各々のアイアン収納部を形成し、アイアン収納部の前後には、ウッド収納部とパター収納部を別途に分割形成して多数の種類のゴルフクラブを各々隔離して収納できるようにし、かつ、アイアンのヘッドがゴルフバッグ本体の底部に位置する下部基盤の内部に収めることによって、アイアンのヘッド同士の衝突を防止し、ゴルフバッグの重心を底部に位置させて安定性を賦与することにある。
【００１１】
なお、本発明のゴルフバッグは、上記上部基盤から下部基盤に至るゴルフバッグ本体の内部に複数の横隔壁と縦隔壁を交差させて内部を分割して形成するアイアン収納部は、ロフトによるヘッドの大きさに対応して順に大きくなる大きさで形成され、ゴルフバッグ本体の下部基盤には車輪が設けられ、移動に便利な構造となっている。
【発明の効果】
【００１２】
本発明のゴルフバッグは、多くの種類のゴルフクラブを相互隔離して収納し、かつアイアンのヘッドがゴルフバッグの内部に位置するよう通常とは逆さまに収納することにより、ヘッド同士の衝突と摩擦を防止することにより損傷を防ぎ、商品価値を長く維持し寿命を延長することができ、収納の際、重心が下部に位置され安定性が上昇するため、簡単に転倒せず、携帯と移動をより容易にするばかりでなく、ヘッド同士の衝突による音が発生しない等、種々の多数の効果を有する。
【発明を実施するための最良の形態】
【００１３】
以下に、好ましい実施形態を通じて、本発明によるゴルフバッグの構成と作用について説明する。
【００１４】
図１に示す実施形態によると、本発明のゴルフバッグは、外観上は通常のゴルフバッグのようであり、上部基盤（１）と下部基盤（２）がその上下端に取り付けられた本体フレーム（３）の外面に複数の小物収納袋（４）（４’）がジッパー（５）によって開閉される外部カバー（６）と一体に装着されてなるゴルフバッグ本体（１００）と、上記ゴルフバッグ本体（１００）の上部に突出するゴルフクラブの高さに対応する大きさで上部基盤（１）にフックボタン（８）等で着脱自在に取り付けられるキャップ（２００）とからなる。
【００１５】
また、ゴルフバッグ本体（１００）の上部基盤（１）から下部基盤（２）に至る本体フレーム（３）の内部には、複数の横隔壁（９）（９’）と縦隔壁（１０）が交差するように設けられ、各ゴルフクラブが隔離収納される複数のアイアン収納部（１１）（１１’）（１１’’）が分割形成され、アイアン収納部（１１）（１１’）（１１’’）の前後には、ウッド収納部（１２）とパター収納部（１３）が別途に分割形成され、多数の種類のゴルフクラブを各々隔離して収納できるようにし、かつ、アイアン（Ｉ）のヘッド（Ｈ）がゴルフバッグ本体（１００）の底部に位置する下部基盤（２）の内部に収められるように収納されることを特徴とする。
【００１６】
ここで、本発明のゴルフバッグは、上部基盤（１）から下部基盤（２）に至るゴルフバッグ本体（１００）の内部で横隔壁（９）（９’）と縦隔壁（１０）の交差によって分割されるアイアン収納部（１１）（１１’）（１１’’）は、アイアン（Ｉ）のロフトによるヘッド（Ｈ）の大きさに対応する大きさで互いに異なる大きさに形成され、またヘッド（Ｈ）の形態に対応するように、中央から外側になるほど広くなっており、ゴルフバッグ本体（１００）の下部基盤（２）には移動用の車輪（１４）が設けられ、この車輪（１４）を利用してゴルフバッグの移動を容易にする。  
【００１７】
また、上部基盤（１）と下部基盤（２）および、これを連結する本体フレーム（３）は、各々別途に構成され、組立によってゴルフバッグ本体（１００）を構成することになるもので、上部基盤（１）は、上下貫通したリング状で、その内部に横隔壁（９）（９’）と縦隔壁（１０）が設置され、下部基盤（２）は、下部の塞がった上部開放形であり、その内部には横隔壁（９）（９’）と縦隔壁（１０）が設置され、横隔壁（９）（９’）と縦隔壁（１０）には随時収納されるアイアン（Ｉ）のヘッド（Ｈ）を保護できるようにクッション材と織物で被覆し、上部基盤（１）および下部基盤（２）と連結される本体フレーム（３）の内部に設けられる横隔壁（９）（９’）と縦隔壁（１０）は、織物又は軟質合成樹脂材で構成され相互連結するように組み立てられる。
【００１８】
図面中、未説明符号はＷはウッド、Ｐはパターを示す。
【００１９】
このようになる本発明のゴルフバッグは、ゴルフバッグ本体（１００）を構成する上部基盤（１）、下部基盤（２）および本体フレーム（３）の内部に、複数の横隔壁（９）（９’）と縦隔壁（１０）が交差するように設けられ、各ゴルフクラブが隔離収納される複数のアイアン収納部（１１）（１１’）（１１’’）と、その前後に、ウッド収納部（１２）およびパター収納部（１３）が各々配置されているので、アイアン収納部（１１）（１１’）（１１’’）は、アイアン（Ｉ）が個別に収納される空間が分割形成され、各々のアイアン（Ｉ）が独立して収納できるようになるが、アイアン（Ｉ）を収納する際は、通常のようにアイアン（Ｉ）のヘッド（Ｈ）が上方に位置するように収納せず、ヘッド（Ｈ）が下方に位置するように、即ち、通常とは逆さまに収納するようにすると、ヘッド（Ｈ）は下部基盤（２）の内部に個別に挿し込まれ、グリップ部分がゴルフバッグ本体（１００）の上部に露出することによって、ヘッド同士の衝突や摩擦が発生しなくなり、重量の重いアイアン（Ｉ）のヘッド（Ｈ）がゴルフバッグの底部に位置し、重心が下部に位置するようになるために、ゴルフバッグを立てて置いた際、安定性が上昇し、簡単に転倒しなくなるだけでなく、ゴルフバッグを持って移動する時も、底部に位置する重心によってゴルフバッグの上部が前方へ傾く、従来の問題点が解決され、携帯をより簡単にする。
【００２０】
特に上部基盤（１）から本体フレーム（３）を経て下部基盤（２）に至る個別のアイアン収納部（１１）（１１’）（１１’’）は、ヘッド（Ｈ）のロフトに対応する大きさで異なるように構成してあるために、ヘッド（Ｈ）のサイズに合うように指定表示されたアイアン収納部（１１）（１１’）（１１’’）に該当クラブを収納すると効率良くクラブを収納できるばかりでなく、ヘッド（Ｈ）が下部基盤（２）の内部に緊密に挿し込まれるので、収納されたアイアン（Ｉ）は、比較的固定された状態にあり、揺動しないので、ゴルフバッグの移動が容易になる。
【００２１】
アイアン（Ｉ）の収納を容易にし、ゴルフ競技の時、希望のゴルフクラブを選択するために、アイアン収納部（１１）（１１’）（１１’’）に収納するアイアン（Ｉ）の番号を数字で表示を行い、また、収納状態でゴルフバッグ（１００）の上部に露出されるグリップにアイアン（Ｉ）の番号を表示するか、ステッカー等を貼りつけて表示すると、必要なクラブを簡単に探して使うことができ、収納の際も、該当するアイアン収納部（１１）（１１’）（１１’’）にクラブを収納することができる。
【００２２】
従って、本発明のゴルフバッグによると、アイアン（Ｉ）のヘッド（Ｈ）同士の衝突は全く発生しなくなり、又、ウッド（Ｗ）も１つのウッド収納部（１２）に、同時にヘッド（Ｈ）が上部に位置するように収納されるとしても、その本数は２，３本に過ぎず、又クラブの長さに差があるために、ヘッド（Ｈ）同士の衝突はほとんど発生せず、全体的にクラブのヘッド（Ｈ）の損傷を防止し、商品価値が低下せず寿命を延長させるばかりでなく、衝突による音の発生もなくなる。
【００２３】
なお、上部基盤（１）と下部基盤（２）を被覆するクッション材と織物により、頻繁に出し入れされて摩擦されるヘッド（Ｈ）を安全に保護し、損傷を防止し出入りを容易にする利点がある。
【００２４】
本発明の趣旨は、前記のごとくアイアン（Ｉ）を、ヘッド（Ｈ）が通常の方法とは異なるようにゴルフバッグの底部に位置するように、逆さまに収納して、グリップを上部に露出させ、ゴルフバッグの移動や携帯の際に、ヘッド（Ｈ）同士の衝突と摩擦を防止することによってヘッド（Ｈ）の損傷を防ぐことに目的があり、ゴルフ場でゴルフ競技を行う時、キャディー達が、便宜上、アイアン（Ｉ）を通常のごとく、ヘッド（Ｈ）が上方になるように収納したとしても、競技終了後、クラブを整理する時に、アイアン（Ｉ）をヘッド（Ｈ）が下になるように通常とは逆さまに収納すると、本発明の意図する目的が達成される。
【図面の簡単な説明】
【００２５】
【図１】本発明のゴルフバッグをしめす斜視図である。
【図２】本発明のゴルフバッグの本体フレーム、上部基盤、下部基盤の分解斜視図である。
【図３】本発明のゴルフバッグの使用状態を示す縦断面図である。
【図４】クラブヘッドが収められた下部基盤の平面図である。
【符号の説明】
【００２６】
１          上部基盤
２          下部基盤
３          本体フレーム
４，４’    小物収納袋
５          ジッパー
６          外部カバー
８          フックボタン
９，９’    横隔壁
１０，      縦隔壁  
１１，１１’，１１’’  アイアン収納部    
１２        ウッド収納部
１３        パター収納部
１４        車輪
１００      ゴルフバッグ本体
２００      キャップ
Ｈ          ヘッド
Ｉ          アイアン
Ｐ          パター
Ｗ          ウッド
【図１】
2005312908.tif 000003
【図２】
2005312908.tif 000004
【図３】
2005312908.tif 000005
【図４】
2005312908.tif 000006